(57)【特許請求の範囲】
【請求項１】
開口を有する貯蔵庫本体と、
前記開口を開閉する左右一対の観音開き式の断熱扉と、
各前記断熱扉の開閉側端部に略全高に亘って装着されている一対のセンターシールであって、庫内の空気に接する面と庫外の空気に接する面とを有するヒレ部を有するセンターシールと、
圧縮機を有する冷却回路と、
前記冷却回路によって冷却された冷気を庫内に循環させる庫内ファンであって、高速運転と低速運転とに切り替え可能な庫内ファンと、
庫内温度を検出する庫内温度センサと、
前記圧縮機の運転／停止を切り替えて庫内温度を設定温度近傍に維持する冷却運転を行う制御部と、
を備え、
前記貯蔵庫本体は前記庫内ファンによって庫内に吹き出された冷気が前記ヒレ部に向かって流れる構造であり、
前記制御部は、前記圧縮機を運転している期間のうち少なくとも一部の期間は前記庫内ファンを高速運転に切り替え、前記圧縮機の運転を停止している期間のうち少なくとも一部の期間は前記庫内ファンを低速運転に切り替えるとともに、前記設定温度より低い下限温度まで庫内温度が低下すると前記圧縮機の運転を停止し、その後に前記設定温度より高い上限温度まで庫内温度が上昇すると前記圧縮機の運転を再開するものであり、
前記上限温度と前記下限温度との間の所定の温度を低速運転温度というとき、庫内温度が前記上限温度から前記低速運転温度まで低下する期間は前記庫内ファンを高速運転に切り替え、前記低速運転温度から前記下限温度まで低下する期間、及び、前記下限温度から前記上限温度まで上昇する期間は前記庫内ファンを低速運転に切り替える、冷却貯蔵庫。
【発明の詳細な説明】
【技術分野】
【０００１】
本明細書で開示する技術は、センターシールを備える冷却貯蔵庫に関する。
【背景技術】
【０００２】
従来、貯蔵庫本体が有する開口を開閉する左右一対の観音開き式の断熱扉を備える冷却貯蔵庫において、各断熱扉の開閉側端部（相手側の断熱扉に対向する端部）に略全高に亘って装着されており、互いに当接して開閉側端部間をシールする一対のセンターシールを備えるものが知られている（例えば、特許文献１参照）。
【０００３】
具体的には、特許文献１に記載のセンターシールは、相手側のセンターシールに当接するシール本体と、断熱扉の開閉側端部より庫内側においてシール本体から断熱扉の開閉軸側に延出しているサブリップ（ヒレ部に相当）とを有している。そして、サブリップは延出した端部の庫外側を向く面が断熱扉の裏面（より具体的には断熱扉が有しているパッキン）に接しており、庫内の空気に接する面と庫外の空気に接する面とを有している。
【先行技術文献】
【特許文献】
【０００４】
【特許文献１】特開２０１３−８８０２５号公報
【発明の概要】
【発明が解決しようとする課題】
【０００５】
ところで、冷却貯蔵庫では、庫内ファンによって吹き出された冷気が断熱扉に向かって流れる場合がある。冷気が断熱扉に向かって流れるとその一部がサブリップに当たり、サブリップの温度が低下し易くなる。前述したようにサブリップは庫外の空気に接する面を有しているので、サブリップの温度が低下すると庫外の空気に接する面に霜や氷、水滴が付着してしまう虞がある。
【０００６】
本明細書では、庫内の空気に接する面と庫外の空気に接する面とを有するヒレ部に霜や氷、水滴が付着してしまうことを抑制する技術を開示する。
【課題を解決するための手段】
【０００７】
本明細書で開示する冷却貯蔵庫は、開口を有する貯蔵庫本体と、前記開口を開閉する左右一対の観音開き式の断熱扉と、各前記断熱扉の開閉側端部に略全高に亘って装着されている一対のセンターシールであって、庫内の空気に接する面と庫外の空気に接する面とを有するヒレ部を有するセンターシールと、圧縮機を有する冷却回路と、前記冷却回路によって冷却された冷気を庫内に循環させる庫内ファンであって、高速運転と低速運転とに切り替え可能な庫内ファンと、庫内温度を検出する庫内温度センサと、前記圧縮機の運転／停止を切り替えて庫内温度を設定温度近傍に維持する冷却運転を行う制御部と、を備え、前記貯蔵庫本体は前記庫内ファンによって庫内に吹き出された冷気が前記ヒレ部に向かって流れる構造であり、前記制御部は、前記圧縮機を運転している期間のうち少なくとも一部の期間は前記庫内ファンを高速運転に切り替え、前記圧縮機の運転を停止している期間のうち少なくとも一部の期間は前記庫内ファンを低速運転に切り替える。
【０００８】
上記の冷却貯蔵庫によると、圧縮機の運転を停止している期間のうち少なくとも一部の期間は庫内ファンを低速運転に切り替えるので、圧縮機の運転を停止している期間中も常に庫内ファンを高速運転する場合に比べてヒレ部に冷気が当たり難くなる。これによりヒレ部に霜や氷、水滴が付着してしまうことを抑制することができる。
【０００９】
また、前記制御部は、前記圧縮機を運転している期間は前記庫内ファンを高速運転に切り替え、前記圧縮機の運転を停止している期間は前記庫内ファンを低速運転に切り替えてもよい。
【００１０】
上記の冷却貯蔵庫によると、圧縮機の運転を停止している期間は常に庫内ファンを低速運転するので、ヒレ部に霜や氷、水滴が付着してしまうことをより抑制することができる。
【００１１】
また、前記制御部は、前記設定温度より低い下限温度まで庫内温度が低下すると前記圧縮機の運転を停止し、その後に前記設定温度より高い上限温度まで庫内温度が上昇すると前記圧縮機の運転を再開するものであり、前記上限温度と前記下限温度との間の所定の温度を低速運転温度というとき、庫内温度が前記上限温度から前記低速運転温度まで低下する期間は前記庫内ファンを高速運転に切り替え、前記低速運転温度から前記下限温度まで低下する期間、及び、前記下限温度から前記上限温度まで上昇する期間は前記庫内ファンを低速運転に切り替えてもよい。
【００１２】
上記の冷却貯蔵庫によると、庫内温度が下限温度まで低下する前に庫内ファンを低速運転に切り替えるので、ヒレ部に霜や氷、水滴が付着してしまうことをより抑制することができる。
【発明の効果】
【００１３】
本明細書で開示する技術によれば、庫内の空気に接する面と庫外の空気に接する面とを有するヒレ部に霜や氷、水滴が付着してしまうことを抑制することができる。
【図面の簡単な説明】
【００１４】
【図１】実施形態１に係る冷却貯蔵庫の正面図
【図２】図１に示すＡ−Ａ線の断面図
【図３】図１に示すＢ−Ｂ線の断面図
【図４】冷却貯蔵庫の電気的構成を示すブロック図
【図５】冷却運転を示すタイミングチャート
【図６】従来の冷却運転を示すタイミングチャート
【図７】実施形態２に係る冷却貯蔵庫の電気的構成を示すブロック図
【図８】冷却運転を示すタイミングチャート（外気温が高いとき）
【図９】冷却運転を示すタイミングチャート（外気温が低いとき）
【図１０】実施形態３に係る冷却運転を示すタイミングチャート（外気温が低いとき）
【発明を実施するための形態】
【００１５】
＜実施形態１＞
実施形態１を図１ないし図６に基づいて説明する。以降の説明において上下方向及び左右方向とは図１に示す上下方向及び左右方向を基準とし、前後方向とは図２に示す前後方向を基準とする。
【００１６】
（１−１）冷却貯蔵庫の全体構成
図１及び図２を参照して、本実施形態に係る冷却貯蔵庫としての冷蔵庫１の全体構成について説明する。冷蔵庫１は主に業務に用いられるセンターピラーレスの４ドア式の冷蔵庫（所謂ワイドスルータイプ冷蔵庫）である。
図１に示すように、冷蔵庫１は前面に２つの開口１０（図２参照）を有する断熱箱体からなる貯蔵庫本体１１を備えている。貯蔵庫本体１１には開口１０を開閉する左右一対の観音開き式の断熱扉１２（１２Ａ〜１２Ｄ）が上下に二組取り付けられている。また、貯蔵庫本体１１の下面には貯蔵庫本体１１を支持する４つの脚部１３が取り付けられている。
【００１７】
ここで、以降の説明において断熱扉１２の開閉側端部とは、左側の断熱扉１２（１２Ａ、１２Ｃ）の場合は右側の端部のことをいい、右側の断熱扉１２（１２Ｂ、１２Ｄ）の場合は左側の端部のことをいう。また、開閉軸側端部とは、左側の断熱扉１２（１２Ａ、１２Ｃ）の場合は左側の端部のことをいい、右側の断熱扉１２（１２Ｂ、１２Ｄ）の場合は右側の端部のことをいう。
【００１８】
貯蔵庫本体１１の上には上側が開放された機械室１４が設けられている。機械室１４には後述する冷却ユニット１５（図２参照）、制御部６０（図４参照）、電源部などが収容されている。また、機械室１４の前面には操作部６１が設けられている。ユーザは操作部６１を操作することによって庫内の目標温度などを設定することができる。以降の説明ではユーザによって設定された目標温度のことを設定温度という。
【００１９】
（１−２）冷却ユニット周辺の構成
次に、図２を参照して、冷却ユニット１５及びその周辺の構成について説明する。冷却ユニット１５は冷却回路を構成する圧縮機１６、凝縮器１７、凝縮器ファン１８、蒸発器１９、図示しないキャピラリチューブなどを断熱性のユニット台２０に取り付けることによってユニット化したものである。具体的には、圧縮機１６、凝縮器１７、凝縮器ファン１８、及び、キャピラリチューブはユニット台２０の上側に取り付けられており、蒸発器１９はユニット台２０の下側に取り付けられている。
ここで、実施形態１に係る圧縮機１６は回転数が一定のものであり、以降の説明では圧縮機１６のことを一定速圧縮機１６という。
【００２０】
ユニット台２０は貯蔵庫本体１１の天井壁１１Ａに形成されている開口１１Ｂより一回り大きい形に形成されており、開口１１Ｂを塞ぐように天井壁１１Ａの上に配置されている。蒸発器１９はユニット台２０の下面に取り付けられているので機械室１４には収容されておらず、天井（天井壁１１Ａ及びユニット台２０）とダクト部２１とによって構成される空気循環路に収容されている。
【００２１】
ダクト部２１は天井との間に空気循環路を形成するものであるとともに、蒸発器１９に付着した霜が溶けた水である除霜水を受けるドレンパンとして機能するものである。ダクト部２１の底壁２１Ｂの前側には吸込口２１Ａが形成されており、吸込口２１Ａに上から庫内ファン２２が嵌合装着されている。また、ダクト部２１の底壁２１Ｂは後端が貯蔵庫本体１１の後側の壁１１Ｃまで達しておらず、ダクト部２１の底壁と貯蔵庫本体１１の後側の壁１１Ｃとの間に空気吹き出し口２３が形成されている。また、ダクト部２１の後端からは排水溝２１Ｃが延びており、排水溝２１Ｃの先端部が貯蔵庫本体１１の後側の壁１１Ｃに形成されている排水口１１Ｄに挿入されている。
【００２２】
庫内ファン２２は冷却回路によって冷却された冷気を庫内に循環させるためのものであり、高速運転と低速運転とに切り替え可能に構成されている。庫内ファン２２が回転すると（すなわち庫内ファン２２が運転されると）、庫内の空気が吸込口２１Ａから空気循環路に吸い込まれ、蒸発器１９によって冷却される。そして、冷却された空気（冷気）は空気吹き出し口２３から下向きに吹き出される。そして、下向きに吹き出された冷気は貯蔵庫本体１１の底面１１Ｅに沿って前側（図２において紙面左側）に向きが変えられ、下段の断熱扉１２Ｃ及び１２Ｄの下端部に向かって流れる。
また、図２に示すように、ユニット台２０の下側において庫内ファン２２と蒸発器１９との間には庫内温度を検出する庫内温度センサ２４が取り付けられている。
【００２３】
（１−３）断熱扉
次に、図３を参照して、断熱扉１２について説明する。断熱扉１２はステンレス鋼板等の金属製の外装板３１、合成樹脂製の内装板３２、パッキン３３、保持部材３４、センターシール３５などを備えている。断熱扉１２は外装板３１と内装板３２とによって箱状に構成されており、内側の中空部に硬質ポリウレタンなどの発泡樹脂からなる図示しない断熱材が発泡充填されている。
【００２４】
パッキン３３は軟質樹脂などの弾性材によって形成されており、パッキン本体３３Ａ及び取付脚３３Ｂを有している。断熱扉１２の内装板３２にはパッキン３３が装着されるパッキン装着溝３２Ａが形成されており、パッキン３３は取付脚３３Ｂがパッキン装着溝３２Ａに押し込まれるようにして内装板３２に装着されている。パッキン本体３３Ａには庫内側の位置に第１マグネット室３３Ｃが形成されている。第１マグネット室３３Ｃには扁平な角柱状の第１マグネット３３Ｄが挿入されている。
保持部材３４はセンターシール３５を保持する部材である。保持部材３４は断熱扉１２の開閉側端部の端面であって相手側の断熱扉１２と対向する端面に全高に亘って装着されているベース３４Ａと、ベース３４Ａに保持されているスライド蓋３４Ｂとを備えている。
【００２５】
一対のセンターシール３５は相手側のセンターシール３５に当接して断熱扉１２の開閉側端部間をシールするものであり、断熱扉１２の開閉側端部（より具体的には保持部材３４）に略全高に亘って装着されている。センターシール３５は軟質樹脂などの弾性材によって形成されており、シール本体３５Ａ、ヒレ部３５Ｂ、柱部３５Ｃ、第１リップ部３５Ｄ、及び、第２リップ部３５Ｅを有している。
【００２６】
シール本体３５Ａは当接部４０、平板部４１、第１延出部４２、及び、第２延出部４３を有している。当接部４０は相手側の断熱扉１２に装着されているセンターシール３５に当接する部分である。当接部４０は角形の筒状に形成されており、内側の空間が第２マグネット室４４を形成している。第２マグネット室４４には扁平な角柱状の第２マグネット４５が相手側の第２マグネット４５と吸引し合う形態で挿入されている。吸引し合う形態とは、例えば相手側の第２マグネット４５がＳ極であればＮ極となる形態である。
【００２７】
平板部４１は断熱扉１２の開閉側端部より庫内側において当接部４０から断熱扉１２の開閉軸側に延出している。第１延出部４２は当接部４０の庫外側の端部から庫外側に延びており、先端部がスライド蓋３４Ｂに係止されている。第２延出部４３は平板部４１の開閉軸側の端部から庫外側に湾曲しながら延びており、先端部がベース３４Ａに係止されている。
【００２８】
ヒレ部３５Ｂは平板部４１の開閉軸側の端部から開閉軸側に延出している。断熱扉１２に取り付けられる前のヒレ部３５Ｂは庫外側に傾いた形状をしており、断熱扉１２に取り付けられると弾性変形して先端部の庫外側の面がパッキン３３に接する。ヒレ部３５Ｂにおいてパッキン３３に接している幅は、断熱扉１２が閉じられてシール本体３５Ａが相手側のセンターシール３５に向けて変形してもなおパッキン３３に接している状態を維持できる寸法である。
【００２９】
ここで、図３に示すように、本実施形態ではヒレ部３５Ｂと断熱扉１２との間に空間５０がある。空間５０はセンターシール３５によって庫内と隔離されているため、空間５０内の空気は庫外の空気である。すなわち、ヒレ部３５Ｂは庫内側を向く面が庫内の空気に接しており、庫外側を向く面の一部が庫内の空気よりも温度が高い庫外の空気に接している。
【００３０】
柱部３５Ｃは平板部４１の開閉軸側の端部から庫内側に延びており、その先端部から第１リップ部３５Ｄと第２リップ部３５Ｅとが左右逆側に延びている。前述したように吹き出された冷気は貯蔵庫本体１１の底面によって向きが変えられて一部がセンターシール３５に向かって流れる。第１リップ部３５Ｄはその冷気からシール本体３５Ａを遮蔽するためのものであり、第２リップ部３５Ｅはその冷気からヒレ部３５Ｂを遮蔽するためのものである。
【００３１】
次に、センターシール３５の作用について説明する。左右の断熱扉１２を閉じると二つの第２マグネット４５が互いに吸引し合い、各センターシール３５がそれぞれ相手側のセンターシール３５に向けて弾性変形する。これにより当接部４０同士が当接して二つの断熱扉１２の開閉側端部間がシールされる。このときヒレ部３５Ｂは庫外側の面がパッキン３３に接したまま相手側のセンターシール３５に向けて移動する。そして、断熱扉１２を開くとセンターシール３５は弾性力によって元の形状に復帰する。このときヒレ部３５Ｂは庫外側の面がパッキン３３に接したまま開閉軸側に移動する。
【００３２】
（１−４）冷蔵庫の電気的構成
図４に示すように、冷蔵庫１は制御部６０を備えている。制御部６０には操作部６１、庫内ファン２２、一定速圧縮機１６、凝縮器ファン１８、庫内温度センサ２４などが接続されている。
【００３３】
制御部６０はＣＰＵ、ＲＯＭ、ＲＡＭなどを備えている。ＣＰＵはＲＯＭに記憶されている制御プログラムを実行することによって冷蔵庫１の各部を制御する。ＲＯＭには制御部６０によって実行される制御プログラムや各種のデータなどが記憶されている。ＲＡＭはＣＰＵが各種の処理を実行するための主記憶装置として用いられる。なお、制御部６０はＣＰＵに替えてＦＰＧＡ（Ｆｉｅｌｄ  Ｐｒｏｇｒａｍｍａｂｌｅ  Ｇａｔｅ  Ａｒｒａｙ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などを備えていてもよい。
【００３４】
（１−５）冷却運転
次に、図５を参照して、冷却運転について説明する。制御部６０は冷蔵庫１の電源がオンにされると一定速圧縮機１６及び凝縮器ファン１８の運転を開始し、それらの運転を開始してから一定時間（例えば２０秒）が経過すると庫内ファン２２の高速運転を開始する。庫内ファン２２の運転を開始すると冷却された空気が庫内に循環し、庫内温度が低下し始める。
【００３５】
そして、制御部６０は、庫内温度が下限温度（本実施形態では設定温度に対して−２．０Ｋ［ケルビン］となる温度）まで低下すると、それ以上庫内温度が低下しないようにするために一定速圧縮機１６及び凝縮器ファン１８の運転を停止する。一定速圧縮機１６及び凝縮器ファン１８の運転を停止すると庫内温度が上昇し、制御部６０は庫内温度が上限温度（本実施形態では設定温度に対して＋１．７Ｋとなる温度）まで上昇すると、それ以上庫内温度が上昇しないようにするために一定速圧縮機１６及び凝縮器ファン１８の運転を再開する。これを繰り返すことによって庫内温度が上限温度から下限温度までの範囲内にほぼ維持される。
【００３６】
（１−６）冷却運転中における庫内ファンの高速運転／低速運転の切り替え
図３に示すようにヒレ部３５Ｂは第２リップ部３５Ｅによって遮蔽されているので第２リップ部３５Ｅがない場合に比べれば温度の低下が抑制されるが、庫内ファン２２が高速運転されているときはそれでも温度が低下し易い。このためヒレ部３５Ｂに霜や氷、水滴が付着する虞がある。
【００３７】
また、ヒレ部３５Ｂは接着剤などによってパッキン３３に接着されているものではないので、ヒレ部３５Ｂとパッキン３３との間に僅かな隙間が生じ、その隙間から庫外の空気が入り込んでヒレ部３５Ｂと第２リップ部３５Ｅとの間の空間に溜ってしまう虞がある。このため第２リップ部３５Ｅの温度が低いとその溜った空気が冷却されて第２リップ部３５Ｅの庫外側を向く面に霜や氷、水滴が付着してしまう虞がある。
【００３８】
そこで、図５に示すように、制御部６０はヒレ部３５Ｂや第２リップ部３５Ｅに霜や氷、水滴が付着することを抑制するために、一定速圧縮機１６の運転／停止に同期して庫内ファン２２の高速運転／低速運転を切り替える。具体的には、制御部６０は庫内温度が下限温度まで低下すると庫内ファン２２を低速運転に切り替え、その後に庫内温度が上限温度まで上昇すると庫内ファン２２を高速運転に切り替える。
【００３９】
すなわち、制御部６０は冷却運転中に庫内ファン２２を連続運転するものであり、一定速圧縮機１６を運転している期間は庫内ファン２２を高速運転に切り替え、一定速圧縮機１６の運転を停止している期間は庫内ファン２２を低速運転に切り替える。
なお、一定速圧縮機１６の運転を停止している期間は庫内ファン２２を低速運転に切り替えるようにしても、庫内温度が上限温度まで上昇すると一定速圧縮機１６の運転が再開されるとともに庫内ファン２２が高速運転に切り替えられるので、冷気が庫内に十分にいきわたり、冷却能力が損なわれることはない。
【００４０】
（１−７）実施形態の効果
ここでは先ず、図６を参照して、従来の冷蔵庫１における庫内ファン２２の制御について説明する。図６に示すように、従来は冷却運転中に常に庫内ファン２２を高速運転していた。このため一定速圧縮機１６が停止している間も庫内ファン２２が高速運転され、ヒレ部３５Ｂや第２リップ部３５Ｅの温度が低下し易かった。このためヒレ部３５Ｂや第２リップ部３５Ｅに霜や氷、水滴が付着する虞があった。
【００４１】
これに対し、実施形態１に係る冷蔵庫１によると、図５に示すように一定速圧縮機１６の運転が停止している間は庫内ファン２２を低速運転に切り替えるので、条件（外気温、庫内に収納されているものの量など）によっては庫内ファン２２が高速運転される割合が従来に比べて半分以下になる。このため冷気の当たり具合が緩和され、従来に比べてヒレ部３５Ｂや第２リップ部３５Ｅの温度が低下し難くなる。このため、ヒレ部３５Ｂや第２リップ部３５Ｅに霜や氷、水滴が付着してしまうことを抑制することができる。
【００４２】
また、実施形態１に係る冷蔵庫１によると、一定速圧縮機１６の運転が停止している間は庫内ファン２２を低速運転に切り替えるので、その間も庫内ファン２２を高速運転する場合に比べ、電力消費を抑えることができる。
【００４３】
＜実施形態２＞
次に、実施形態２を図７ないし図９によって説明する。前述した実施形態１では冷却貯蔵庫として冷蔵庫を例に説明したが、実施形態２に係る冷却貯蔵庫はワイドスルータイプの冷凍庫であり、特にサイズが大きいタイプ（横幅１５００ｍｍ〜１８００ｍｍ）のものである。
【００４４】
（２−１）冷凍庫の電気的構成
図７を参照して、実施形態２に係る冷凍庫２の電気的構成について説明する。前述したように冷凍庫２は特にサイズが大きいタイプのものであるため、圧縮機が１台では設定温度まで到達しなかったり、あるいは到達するまでの時間が長くなってしまったりする虞がある。このため、冷凍庫２は実施形態１に係る一定速圧縮機１６に加えて回転数が可変のインバータ圧縮機７０を更に有している。冷凍庫２の構成はその他の点において実施形態１に係る冷蔵庫１の構成と実質的に同じである。
【００４５】
（２−２）冷却運転
先ず、図８を参照して、外気温が高いときの冷却運転について説明する。制御部６０は電源がオンにされるとインバータ圧縮機７０及び凝縮器ファン１８の運転を開始し、それらの運転を開始してから一定時間（例えば２０秒）が経過すると庫内ファン２２の高速運転を開始する。そして、制御部６０は庫内が冷却される速度（冷却速度）を基準速度と比較し、基準速度より遅い場合はインバータ圧縮機７０だけでは冷却能力が足りてないと判断して一定速圧縮機１６の運転を開始する。
【００４６】
そして、制御部６０は庫内温度が設定温度近傍まで低下すると庫内温度が設定温度近傍に維持されるようにインバータ圧縮機７０の回転速度を調整する。庫内ファン２２については、制御部６０は図８に示すように常に高速運転する。
【００４７】
次に、図９を参照して、外気温が低いときの冷却運転について説明する。外気温が低いときは庫内温度が低下し易いため、インバータ圧縮機７０の回転速度の調整だけでは庫内温度を設定温度近傍に維持することができず、庫内温度が低下する。このため、制御部６０は庫内温度が下限温度（本実施形態では設定温度に対して−１．０Ｋ［ケルビン］となる温度）まで低下すると、それ以上庫内温度が低下しないようにするために、インバータ圧縮機７０の運転は継続したまま一定速圧縮機１６の運転を停止する。そして、制御部６０はその後に庫内温度が上限温度（本実施形態では設定温度に対して＋１．０Ｋ［ケルビン］となる温度）まで上昇すると一定速圧縮機１６の運転を再開する。これを繰り返すことによって庫内温度が概ね下限温度から上限温度の範囲に維持される。
【００４８】
そして、庫内ファン２２については、制御部６０は庫内温度が下限温度まで低下すると低速運転に切り替え、その後に庫内温度が上限温度より低い高速運転温度（図９に示す例では設定温度に対して＋０．５Ｋとなる温度）に達すると高速運転に切り替える。すなわち、制御部６０は、一定速圧縮機１６の運転を停止している期間のうち少なくとも一部の期間は庫内ファン２２を低速運転に切り替える。
【００４９】
（２−３）実施形態の効果
以上説明した実施形態２に係る冷凍庫２によると、一定速圧縮機１６の運転を停止している期間のうち少なくとも一部の期間は庫内ファン２２を低速運転に切り替えるので、従来に比べてヒレ部３５Ｂや第２リップ部３５Ｅの温度が低下し難くなる。このため、ヒレ部３５Ｂや第２リップ部３５Ｅに霜や氷、水滴が付着してしまうことを抑制することができる。
【００５０】
＜実施形態３＞
次に、実施形態３を図１０によって説明する。実施形態３は実施形態２の変形例である。前述したように、実施形態２では、外気温が低いとき、庫内温度が下限温度まで低下すると庫内ファン２２を低速運転に切り替え、その後に庫内温度が上限温度より低い高速運転温度に達すると庫内ファン２２を高速運転に切り替えていた。
【００５１】
しかしながら、条件（外気温、庫内に収納されているものの量など）によっては実施形態２の構成でもヒレ部３５Ｂや第２リップ部３５Ｅに霜や氷、水滴が付着してしまう虞があった。そこで、実施形態３では、庫内ファン２２が低速運転される期間を、実施形態２に比べて更に長くする。
【００５２】
図１０を参照して、実施形態３に係る外気温が低いときの庫内ファン２２の制御について説明する。実施形態３に係る制御部６０は、上限温度と下限温度との間の温度である低速運転温度（本実施形態では設定温度に対して−０．１Ｋとなる温度）まで庫内温度が低下するまでは高速運転し、上述した低速運転温度まで低下すると低速運転に切り替える。そして、その後に庫内温度が上限温度まで上昇すると制御部６０は庫内ファン２２を高速運転に切り替える。
【００５３】
すなわち、制御部６０は、庫内温度が上限温度から低速運転温度まで低下する期間は庫内ファン２２を高速運転に切り替え、庫内温度が低速運転温度から下限温度まで低下する期間、及び、下限温度から上限温度まで上昇する期間は庫内ファン２２を低速運転に切り替える。つまり、庫内ファン２２は庫内温度が下限温度まで下がってから低速運転に切り替えられるのではなく、下限温度まで下がる前（上述した低速運転温度まで低下したとき）に低速運転に切り替えられる。
【００５４】
以上説明した実施形態３に係る冷凍庫２によると、庫内温度が上限温度と下限温度との間の温度である低速運転温度まで低下すると庫内ファン２２を低速運転に切り替え、その後に庫内温度が上限温度まで上昇すると高速運転に切り替える。このため、実施形態２に比べて庫内ファン２２が低速運転される期間が長くなり、ヒレ部３５Ｂや第２リップ部３５Ｅの温度が低下し難くなる。このため、ヒレ部３５Ｂや第２リップ部３５Ｅに霜や氷、水滴が付着してしまうことをより確実に抑制することができる。
【００５５】
＜他の実施形態＞
本明細書によって開示される技術は上記記述及び図面によって説明した実施形態に限定されるものではなく、例えば次のような実施形態も本明細書によって開示される技術的範囲に含まれる。
【００５６】
（１）上記実施形態ではセンターシール３５が柱部３５Ｃ、第１リップ部３５Ｄ、及び、第２リップ部３５Ｅを備えている場合を例に説明したが、センターシール３５はこれらを備えていなくてもよい。
【００５７】
（２）上記実施形態１では上限温度として設定温度に対して＋１．７Ｋとなる温度を例に説明したが、これは一例であり、上限温度は適宜に設定することができる。下限温度についても同様である。また、実施形態２及び３の上限温度及び下限温度についても同様である。
【００５８】
（３）上記実施形態３では低速運転温度として設定温度に対して−０．１Ｋとなる温度を例に説明したが、これは一例であり、低速運転温度は適宜に設定することができる。例えば、低速運転温度は設定温度より高い温度であってもよい。
【００５９】
（４）上記実施形態３では冷却貯蔵庫が一定速圧縮機１６とインバータ圧縮機７０とを備えている場合に、庫内温度が下限温度まで低下する前に庫内ファン２２を低速運転に切り替える場合を例に説明した。これに対し、実施形態１のように冷却貯蔵庫が一定速圧縮機１６しか備えていない場合であっても庫内温度が下限温度まで低下する前に庫内ファン２２を低速運転に切り替えるようにしてもよい。
【００６０】
（６）上記実施形態１では冷却貯蔵庫として冷蔵庫を例に説明したが、冷却貯蔵庫は冷凍庫であってもよい。また、上記実施形態２及び３では冷却貯蔵庫として冷凍庫を例に説明したが、冷却貯蔵庫は冷蔵庫であってもよい。
【００６１】
（７）上記実施形態では庫内温度が上限温度まで上昇すると庫内ファン２２を高速運転に切り替える場合を例に説明したが、庫内温度が上限温度まで達したタイミングと庫内ファン２２を高速運転に切り替えるタイミングとには多少のタイムラグがあってもよい。下限温度についても同様である。
【符号の説明】
【００６２】
１…冷蔵庫（冷却貯蔵庫の一例）、２…冷凍庫（冷却貯蔵庫の一例）、１０…開口、１１…貯蔵庫本体、１２…断熱扉、１６…一定速圧縮機（冷却回路の一例）、１７…凝縮器（冷却回路の一例）、１８…凝縮器ファン（冷却回路の一例）、１９…蒸発器（冷却回路の一例）、２２…庫内ファン、２４…庫内温度センサ、３５…センターシール、３５Ｂ…ヒレ部、６０…制御部
【図１】
0006695199.tif 000002
【図２】
0006695199.tif 000003
【図３】
0006695199.tif 000004
【図４】
0006695199.tif 000005
【図５】
0006695199.tif 000006
【図６】
0006695199.tif 000007
【図７】
0006695199.tif 000008
【図８】
0006695199.tif 000009
【図９】
0006695199.tif 000010
【図１０】
0006695199.tif 000011